(57)【要約】【課題】本発明が解決しようとする課題は、切手サイズをコンパクトにし、基体とする切手原紙の使用効率が高く、切手購入者が要望する書画像を切手の広い範囲で印刷することができる郵便切手を提供することを目的とする。【解決手段】本発明による郵便切手では、購入者が要望する書画像から、発行者名と料額とを含む領域の部分を切り抜き、前記発行者名と前記料額に重複して印刷することにより解決される。【選択図】図１
2009251187.tif 000002
【特許請求の範囲】
【請求項１】
発行者名と料額と購入者の希望する書画像を有し、前記発行者名と前記料額の配置部を含む領域を前記書画像から抜いて、前記発行者名と前記料額に重複して配置されたことを特徴とする郵便切手。
【請求項２】
前記発行者名と前記料額が、予め前記郵便切手の原紙に印刷されていることを特徴とする請求項１記載の郵便切手。
【請求項３】
前記配置部を含む領域は、取得された前記郵便切手の画像から作成された領域であるか、前記郵便切手の原紙を発行する発行者から入手した前記発行者名と前記料額の配置部を含む領域であることを特徴とする請求項１または請求項２に記載の郵便切手。
【請求項４】
前記発行者名と前記料額の配置部を含む前記領域の形状は、多角形、楕円、円、文字に沿った形状であることを特徴とする請求項１から請求項３のいずれか１つに記載の郵便切手。
【請求項５】
前記発行者名と、前記料額と、前記書画像の少なくともいずれか１つの部分において、偽造防止を目的とする印刷が施されていることを特徴とする請求項１から請求項４のいずれか１つに記載の郵便切手。
【請求項６】
前記偽造防止は、紫外線または赤外線で特定の波長範囲に吸収・反射に敏感な印刷用インクで施されたことを特徴とする請求項５記載の郵便切手。
【請求項７】
前記偽造防止は、予め決まった参照光によりホログラム処理がされた偽造防止パターンが形成されたことを特徴とする請求項５記載の郵便切手。
【請求項８】
前記偽造防止は、紫外線または赤外線の吸収・反射に敏感なインクで印刷されたドットパターンの並びにより施され、前記ドットパターンに前記発行者名または前記料額が重ね印刷されていることを特徴とする請求項５記載の郵便切手。
【発明の詳細な説明】
【技術分野】
【０００１】
本発明は、切手にその購入者が要求した書画像を印刷する郵便切手に関するものである。
【背景技術】
【０００２】
従来、郵便切手は日本郵政公社で印刷され、定められた書画像が入っていたが、近年、購入者の要望する書画像を挿入した切手が望まれるようになってきている。これに対応して、書画像を挿入可能な切手が発案されており、そのことによって切手の普及を更に図ることができると期待されている。  
【０００３】
このような背景の中、いくつかの特許文献には同様の提案が見られる。図６は特許文献１に記載された、従来の切手シートの製造方法を示す図である。これは第１の工程で、切手として機能を果たす額面を印刷した第２領域と、書画像の印刷予定領域である第１の領域を印刷しておき、次の第２の工程で、書画像を第１の領域に印刷する。この場合、第１の領域と第２の領域という２つの印刷領域を有している為、印刷領域が広くなり、不必要に用紙を大きく使用するという欠点があった。
【特許文献１】特許３２９３５１７
【発明の開示】
【発明が解決しようとする課題】
【０００４】
上記のような事情から、解決しようとする課題は、切手サイズをコンパクトにし、基体とする切手原紙の使用効率が高く、書画像を切手の広い範囲で印刷することができる郵便切手を提供することを目的とする。
【課題を解決するための手段】
【０００５】
上記の課題を解決するための手段として、購入者が要望する書画像から、発行者名と料額とを含む領域の部分を切り抜き、前記発行者名と前記料額に重複して印刷することにより解決を図る。以下、請求範囲に沿って説明する。
【０００６】
請求項１記載の発明は、郵便切手であって、発行者名と料額と購入者の希望する書画像を有し、前記発行者名と前記料額の配置部を含む領域を前記書画像から抜いて、前記発行者名と前記料額に重複して配置されたことを特徴とする。これにより、基体とする切手原紙の使用効率を上げることができ、切手サイズはコンパクトでありながらも、切手の広い範囲に書画像を印刷することができる。
【０００７】
請求項２記載の発明は、請求項１記載の郵便切手において、前記発行者名と前記料額が、予め前記郵便切手の原紙に印刷されていることを特徴とする。
【０００８】
請求項３記載の発明は、請求項１または請求項２に記載の郵便切手において、前記配置部を含む領域は、取得された前記郵便切手の画像から作成された領域であるか、前記郵便切手の原紙を発行する発行者から入手した前記発行者名と前記料額の配置部を含む領域であることを特徴とする。
【０００９】
請求項４記載の発明は、請求項１から請求項３のいずれか１つに記載の郵便切手において、前記発行者名と前記料額の配置部を含む前記領域の形状は、多角形、楕円、円、文字に沿った形状であることを特徴とする。
【００１０】
請求項５記載の発明は、請求項１から請求項４のいずれか１つに記載の郵便切手において、前記発行者名と、前記料額と、前記書画像の少なくともいずれか１つの部分において、偽造防止を目的とする印刷が施されていることを特徴とする。
【００１１】
請求項６記載の発明は、請求項５記載の郵便切手において、前記偽造防止は、紫外線または赤外線で特定の波長範囲に吸収・反射に敏感な印刷用インクで施されたことを特徴とする。
【００１２】
請求項７記載の発明は、請求項５記載の郵便切手において、前記偽造防止は、予め決まった参照光によりホログラム処理がされた偽造防止パターンが形成されたことを特徴とする。
【００１３】
請求項８記載の発明は、請求項５記載の郵便切手において、前記偽造防止は、紫外線または赤外線の吸収・反射に敏感なインクで印刷されたドットパターンの並びにより施され、前記ドットパターンに前記発行者名または前記料額が重ね印刷されていることを特徴とする。
【発明の効果】
【００１４】
以上のように本発明は、購入者の要望する書画像を、発行者名と料額とを含む領域の部分を切り抜いて、前記発行者名と前記料額に重複して印刷することにより、基体とする切手原紙の使用効率を上げることができ、切手サイズはコンパクトでありながらも、切手の広い範囲で書画像を印刷することが可能となる。
【発明を実施するための最良の形態】
【００１５】
発明を実施する為の最良の形態として、以下に実施態様を説明する。
【００１６】
図1は、本発明における郵便切手の一実施態様を示す図である。1-Aは、発行者名１０１、料額１０２が既に印刷された切手原紙１００である。1-Bは、購入者が挿入希望する書画像１０５である。1-Cは、1-Bの書画像１０５から切り抜き部１０３を切り抜いた切り抜き書画像１０４である。切り抜き部１０３は、発行者名と料額の配置部を含む領域であって、書画像１０５から切り抜く部分である。また、1-Bと1-Cにおいて書画像のサイズは、予め切手原紙１００に合わせてある。1-Dは1-Aと1-Cを重ねたもので、切手の最終形態である。このとき、A,B,C,Dの符号が合致するように重ねる。以上のように、最終形態1-Dでは、購入者の希望する書画像が切手の発行者名１０１と料額１０２を含む画像が重ねることなく広い範囲に印刷され、尚且つ、切手サイズはコンパクトな郵便切手が完成する。
【００１７】
図５は、本発明による郵便切手の作成フローの一実施態様である。上記説明の発行者名１０１および料額１０２の配置データが、切り抜き書画像１０４を得るため必要であった。フローでは、この配置データが無い場合(右側)と、有る場合(左側)に分けて説明する。
【００１８】
まず、フロー右側の発行者名および料額の配置データが無い場合、切手原紙１００を画像として取得(501)、画像から発行者名および料額部分の配置データを作成(502)した後、前記配置データに基づき、書画像１０５から発行者名１０１および料額１０２に重なる領域を切り抜いた(503)後、切り抜き書画像１０４を切手原紙１００へ印刷(504)する。
【００１９】
次に、フロー左側の発行者名および料額の配置データが有る場合には、上記工程(503)、(504)を実施する。
【００２０】
また、切り抜き部１０３の形状は、図１では四角、図2では楕円、図3は文字に沿った形状、図4は角が滑らかな四角である。このように、図５の工程(503)を実施する場合、書画像１０５を切り抜く形状は、四角や楕円、角が滑らかな四角、文字に沿った形も含め、それ以外の種々の形状でもよいのである。
【００２１】
切手原紙１００の画像から、発行者名および料額部分の配置データを作成するにあたっては、取得された画像に対して、輪郭処理、連続点と連続点集団間の距離の計算による文字枠認識、重心計算、形状割り当てなどの画像処理手段を用いることが出来る。
【００２２】
発行者名および料額部分、書画像のいずれか、特に発行者名および料額部分に偽造防止の処理が施されていることが好ましい。このためには、偽造防止の処理を施す部分に他の文字が入らないように印刷できる枠を小さくすることや、発行者名および料額の文字を他の部分の印刷とは違ったものとすることで達成できる。印刷を違えるには、インクに紫外線または赤外線の吸収・反射に敏感なものを使うことで、更に、特定の波長範囲に吸収・反射に敏感なものを使うことで、偽造者に知られずに偽造を検出できる。他の手段としては、ホログラム処理により偽造防止パターンを形成し、予め決まった参照光で読み出す手段がある。同じ参照光で変調したホログラムを書かないと、読み出したとき誤差になるからであり、キーになっている参照光を知られない限り、偽造が難しいからである。ドットパターンの並びを特定の規則により並べたものを背景にするのも簡単な偽造防止になる。ドットパターンを紫外線または赤外線の吸収・反射に敏感なインクで印刷し、この上に発行者名および料額部分の印刷を重ねる。ドットパターンは可視光では見えないが、センサーでの検出は可能である。
【産業上の利用可能性】
【００２３】
以上のように本発明は、購入者の要望する書画像を、発行者名と料額とを含む領域の部分を切り抜いて、前記発行者名と前記料額に重複して印刷することにより、基体とする切手原紙の使用効率を上げることができ、切手サイズはコンパクトでありながらも、書画像を切手の広い範囲で印刷することができるため、産業上利用性が極めて大きい。
【図面の簡単な説明】
【００２４】
【図１】本発明による郵便切手の一実施態様を示す図である。
【図２】本発明による郵便切手の別の実施態様を示す図である。
【図３】本発明による郵便切手の別の実施態様を示す図である。
【図４】本発明による郵便切手の別の実施態様を示す図である。
【図５】本発明による郵便切手の作成フローの一実施態様を示す図である。
【図６】従来の切手シートの製造方法を説明する概要図である。
【符号の説明】
【００２５】
100切手原紙
101発行者名
102料額                            
103切抜き部
104切り抜き書画像
105書画像
501切手原紙の画像取得工程
502発行者名と料額の配置データ作成工程
503書画像切り抜き工程
504切り抜き書画像印刷工程
【図１】
2009251187.tif 000003
【図２】
2009251187.tif 000004
【図３】
2009251187.tif 000005
【図４】
2009251187.tif 000006
【図５】
2009251187.tif 000007
【図６】
2009251187.tif 000008